(57)【要約】【課題】フロントカバーとリアカバーの形状を工夫して、液晶表示装置用のカバーユニットの構造をＬＣＤモジュール部材、インターフェイス回路部、電源回路部をヒンジやねじを使用することなく取り付けられる構造を有するものにし、液晶表示装置の部品点数と組立工程の数を削減して、製造コストの低減が可能な液晶表示装置用のカバーユニットを提供することを目的とする。【解決手段】リアカバーと、フロントカバーと、を有する液晶表示装置用カバーユニットにおいて、リアカバーの中央部に断面形状がH形状を構成するように液晶画面側と裏側に夫々背中を合わせるように凹部を設けて、液晶画面側の凹部にはＬＣＤモジュール部材を積層でき、画面の裏側の凹部には、電源回路部と、インバータ・インターフェイス回路部を固着できる構造とし、リアカバーと、フロントカバーとを連結できるような足部をリアカバーと、フロントカバーに設ける。【選択図】図１
2008090193.tif 000002
【特許請求の範囲】
【請求項１】
リアカバー（２０２）と、フロントカバー（２０１）と、を有する液晶表示装置用カバーユニットであって、
前記リアカバー（２０２）は中央部に前記リアカバー（２０２）の断面形状がH型の構造部を備え、
前記H型の構造部のうちH型の上向きの凹型形状部分（以下「上向き凹部」ともいう）はＬＣＤモジュール部材（２０３）を組み込み得る大きさと、形状と、ＬＣＤモジュール部材（２０３）を連結するための連結部と、を有し、
前記H型の構造部のうちＨ型の下向きの凹型（以下「下向き凹部」ともいう）には電源回路部（２０８）と、インバータ・インターフェイス回路部（２１１）とを組み込める程度の大きさと、形状と、連結構造と、を有し、
前記リアカバー（２０２）の中央部のH型の構造部の周囲には、前記フロントカバー（２０１）と連結するためのリアカバー足部（２３２）と連結部を有し、
前記フロントカバー（２０１）は前記リアカバー（２０２）の前記上向き凹部（２２１）に組み込まれたＬＣＤモジュール部材（２０３）の画面表示部が表れるような開口部を有して、額縁状の枠部（２４１）で、前記ＬＣＤモジュール部材（２０３）を保持し、
前記フロントカバー（２０１）の前記枠部（２４１）の周辺には前記リアカバー（２０２）の周辺部に設置された前記リアカバー足部（２３２）に対向するようにフロントカバー足部（２３１）を有し、
前記カバーユニットを使用して液晶表示装置を組み立てる際には、
前記リアカバー（２０２）の上向き凹部（２２１）を受け皿として、前記ＬＣＤモジュール部材（２０３）を設置でき、前記リアカバー（２０２）の前記下向き凹部（２２２）には電源回路部（２０８）と、インバータ・インターフェイス回路部（２１１）と、を設置でき、ベゼル、ヒンジ、フレームのいずれをも使用することなく液晶表示装置を組み立てられるように構成されていることを特徴とする液晶モニター用カバーユニット。
【請求項２】
請求項１に記載の液晶表示装置用カバーユニットにおいて、
前記液晶表示装置用カバーユニットの前記リアカバー（２０２）は前記下向き凹部（２２２）の開口部に蓋（２４０）を有することを特徴とする液晶表示装置用カバーユニット。
【請求項３】
請求項１または２に記載のカバーユニットを有することを特徴とする液晶表示装置。
【発明の詳細な説明】
【技術分野】
【０００１】
本発明は、液晶表示装置用のカバーユニットおよび液晶表示装置に関する。
【背景技術】
【０００２】
近年は、液晶表示装置はコンピュータの表示端末以外の、テレビ受像機としても使用され、製造コストの更なる低減が求められている。
【０００３】
従来の液晶表示装置はフロントカバー、ＬＣＤモジュール部材を固定するためのヒンジ、電源回路部、インバータ・インターフェイス回路、電源回路保持用リアフレーム、リアカバー等で構成されており、これらがねじ等を使用して複雑に組み立てられている。図に基づいて説明する。
【０００４】
図３は液晶表示装置の斜視図である。
【０００５】
図２は図３に係る液晶表示装置が従来のフロントカバー等により組み立てられていると仮定した場合における、図３のＹ−Ｙ切断線断面図である。
【０００６】
図２において、１０１はフロントカバーであり、１０２はリアカバーであり、２０３はＬＣＤモジュール部材であり、１０４はフロントベゼルであり、１０５はねじであり、１０６はヒンジであり、２０８は電源回路部であり、１１０は電源回路部等保持用リアフレームであり、１１１はリアベゼルであり、２１１はインバータ・インターフェイス回路部であり、２５１はバックライトであり、２５２は光学シートであり、２５３は偏光板であり、２５４は中央に液晶を峡持するガラス板である。
【０００７】
従来の組み立て方法では、リアベゼル１１１の上に、バックライトフレーム２５５と、バックライト２５１と、光学シート２５２と、を収め、さらに、偏光板２５３と、液晶を峡持するガラス板２５４と、からなるＬＣＤパネルをヒンジ１０６と、フロントベゼル１０４と、を利用しながら、ねじ止めし、さらに、電源回路部２０８とインバータ・インターフェイス回路部２１１と、を設置した電源回路部等保持用リアフレーム１１０をフロントカバー１０１にヒンジ１０６を利用してねじ止めして、最後にリアカバー１０２で裏側から蓋をするものであり、相当に複雑であった。
【０００８】
しかし、フロントカバーとリアカバーの形状を工夫して、液晶表示装置用のカバーユニットを作成し、ＬＣＤモジュール部材およびインターフェイス回路、電源回路部をねじやヒンジを使用することなく組み込めるものとすれば、液晶表示装置の部品点数の削減と組立工程数の削減が可能であり、結果として、液晶表示装置の製造コストを下げることが可能である。
【０００９】
【特許文献１】実用新案登録第３１０８９１号公報
【発明の開示】
【発明が解決しようとする課題】
【００１０】
そこで、本発明は、フロントカバーとリアカバーの形状を工夫して、液晶表示装置用のカバーユニットの構造をＬＣＤモジュール部材、インターフェイス回路部、電源回路部をヒンジやねじを使用することなく取り付けられる構造を有するものにし、液晶表示装置の部品点数と組立工程の数を削減することにより、製造コストの低減が可能な液晶表示装置用のカバーユニットと該カバーユニットを有する液晶表示装置と、を提供することを目的とする。
【課題を解決するための手段】
【００１１】
請求項１に記載の発明はリアカバー（２０２）と、フロントカバー（２０１）と、を有する液晶表示装置用カバーユニットであって、
前記リアカバー（２０２）は中央部に前記リアカバー（２０２）の断面形状がH型の構造部を備え、
前記H型の構造部のうちH型の上向きの凹型形状部分（以下「上向き凹部」ともいう）はＬＣＤモジュール部材（２０３）を組み込み得る大きさと、形状と、ＬＣＤモジュール部材（２０３）を連結するための連結部と、を有し、
前記H型の構造部のうちＨ型の下向きの凹型（以下「下向き凹部」ともいう）には電源回路部（２０８）と、インバータ・インターフェイス回路部（２１１）とを組み込める程度の大きさと、形状と、連結構造と、を有し、
前記リアカバー（２０２）の中央部のH型の構造部の周囲には、前記フロントカバー（２０１）と連結するためのリアカバー足部（２３２）と連結部を有し、
前記フロントカバー（２０１）は前記リアカバー（２０２）の前記上向き凹部（２２１）に組み込まれたＬＣＤモジュール部材（２０３）の画面表示部が表れるような開口部を有して、額縁状の枠部（２４１）で、前記ＬＣＤモジュール部材（２０３）を保持し、
前記フロントカバー（２０１）の前記枠部（２４１）の周辺には前記リアカバー（２０２）の周辺部に設置された前記リアカバー足部（２３２）に対向するようにフロントカバー足部（２３１）を有し、
前記カバーユニットを使用して液晶表示装置を組み立てる際には、
前記リアカバー（２０２）の上向き凹部（２２１）を受け皿として、前記ＬＣＤモジュール部材（２０３）を設置でき、前記リアカバー（２０２）の前記下向き凹部（２２２）には電源回路部（２０８）と、インバータ・インターフェイス回路部（２１１）と、を設置でき、ベゼル、ヒンジ、フレームのいずれをも使用することなく液晶表示装置を組み立てられるように構成されていることを特徴とする。
【００１２】
請求項２に記載の発明は請求項１に記載の液晶表示装置用カバーユニットに係り、
前記液晶表示装置用カバーユニットの前記リアカバー（２０２）は前記下向き凹部（２２２）の開口部に蓋（２４０）を有することを特徴とする。
【００１３】
請求項３に記載の発明は液晶表示装置であって、
請求項１または２に記載のカバーユニットを有することを特徴とする。
【発明の効果】
【００１４】
本発明によれば、ＬＣＤモジュール部材や、電源回路部や、インバータ・インターフェイス回路部を組み込む際にベゼルや、ヒンジや、ねじを必要としないので、液晶表示装置の部品点数と組立工程の数を削減することができ、製造コストの低減が可能となる。
【発明を実施するための最良の形態】
【００１５】
以下、図を参照しつつ、発明を実施するための形態につき説明する。
【００１６】
図１は本実施の形態に係る液晶表示装置用カバーユニットの構造を説明するための、図３に係る液晶表示装置が本発明の実施の形態に係る液晶表示装置用カバーユニットを有すると仮定した場合における図３のＹ−Ｙ切断線断面図である。
【００１７】
図１において、２０１はフロントカバーであり、２０２はリアカバーであり、２０３はＬＣＤモジュール部材であり、２０８は電源回路部であり、２２１はリアカバーの上向き凹部であり、２２２は、リアカバーの下向き凹部であり、２１１はインバータ・インターフェイス回路部であり、２４０はリアカバーの下向き凹部の蓋であり、２５１はバックライトであり、２５２は光学シートであり、２５３は偏光板であり、２５４は中央に液晶を峡持するガラス板である。
【００１８】
本実施の形態に係る液晶表示装置用カバーユニットの主たる構成部品はフロントカバー２０１とリアカバー２０２であり、フロントカバー２０１とリアカバー２０２はワンタッチで連結し得る連結部材で一体化する。具体的には、フロントカバー２０１とリアカバー２０２とは、リアカバー足部２３２と、該リアカバー足部２３２に対向するように設けられたフロントカバー足部２３１とが両足部に設置された連結部材によって連結・一体化する。
【００１９】
最初に、リアカバー２０２の構造について図１に基づいて説明する。
【００２０】
リアカバー２０２は図１に図示されているように、中央部に断面の形状が文字ＨのＨ形状を構成するように、液晶表示装置の画面側と、画面の裏側に夫々凹部を有し、凹部の底部で背中同士を合わせるように設置されている。画面側の凹部は図１に示されている上向き凹部２２１であり、裏側の凹部は下向き凹部２２２である。
【００２１】
上向き凹部２２１はＬＣＤモジュール部材を順次積層できるように構成されている。該ＬＣＤモジュール部材はバックライト２５１と、光学シート２５２と、偏光板２５３と、中央に液晶を峡持するガラス板２５４と、からなる。本発明の場合には、これらのＬＣＤモジュール部材を箱状の上向き凹部２２１の中に順次に積層できる構造とする。その結果として、設置するためのねじは不要となる。
【００２２】
なお、「上向き凹部２２１」の「上」の意味は、ＬＣＤモジュール部材を該上向き凹部２２１に積層・設置する場合に、リアカバー２０２の該上向き凹部２２１を「上」に向けて設置すると積層・設置する行為が容易であることに鑑みて「上」と表現したものである。
【００２３】
下向き凹部２２２には、電源回路部２０８と、インバータ・インターフェイス回路部２１１を設置できる構造とする。このように、リアカバー２０２のＨ字型の真ん中の壁の表側にＬＣＤモジュール部材２０３を、そして裏側には、電源回路部２０８と、インバータ・インターフェイス回路部２１１と、を設置することにより、組み立て工程が簡素化されるとともに、連結部材を削減できる。
【００２４】
また、電源回路部２０８と、インバータ・インターフェイス回路部２１１を下向き凹部２２２に設置することにより、液晶表示装置が故障し、装置の裏側から電源回路部２０８や、インバータ・インターフェイス回路部２１１を検査するときに、従来はリアカバー１０２全体を取り外す必要があったが、本発明に係るバックライトユニットを使用すれば、リアカバー１０２全体を取り外すことなく検査でき、検査・保守が容易となる。
【００２５】
リアカバー２０２の周辺部には、フロントカバー２０１と連結するために足部２３２を設ける。該足部には、フロントカバー２０１と連結するための連結部も設ける。
【００２６】
また、オプションとして、リアカバー２０２の裏側の凹部である下向き凹部２２２に蓋２４０を設置する。該蓋を設置することにより、該蓋で、下向き凹部２２２に設置された電源回路部２０８と、インバータ・インターフェイス回路部２１１と、に埃等が付着することを軽減できる。
【００２７】
次に、フロントカバー２０１について図１に基づいて説明する。
【００２８】
フロントカバー２０１はリアカバー２０２の上向き凹部２２１に設置されたＬＣＤモジュール部材２０３の画面表示部が外側に表れて、液晶表示装置を使用する者が液晶画面を視ることができるような開口部を有しており、画面の周囲を取り囲む額縁状の枠部２４１によって、ＬＣＤモジュール部材２０３の外側周辺を囲むように構成される。該額縁状の枠部２４１は従来のベゼルの役割を果たす。したがって、ベゼルは不要となる。
【００２９】
フロントカバー２０１の周辺部にはリアカバー２０２の周辺部に設けられた足部２３２に対向するように足部２３１を設ける。また、該足部には、フロントカバー２０１と連結するための連結部も設ける。なお、該連結部は公知の連結具で構成できるので、説明は省略する。
【００３０】
また、本実施の携帯に係る液晶表示装置用カバーユニットは公知の材料で、公知の方法によって製造できるので説明は省略する。
【００３１】
なお、図１および図２において、白抜きの部分は、原則として、空間である。
【図面の簡単な説明】
【００３２】
【図１】本実施の形態に係る液晶表示装置用カバーユニットの構造を説明するための、図３に係る液晶表示装置が本発明の実施の形態に係る液晶表示装置用カバーユニットを有すると仮定した場合における図３のＹ−Ｙ切断線断面図である。
【図２】図３に係る液晶表示装置が従来のフロントカバー等により組み立てられていると仮定した場合における、図３のＹ−Ｙ切断線断面図である。
【図３】液晶表示装置の斜視図である。
【符号の説明】
【００３３】
２０１      フロントカバー
２０２      リアカバー
２０３      ＬＣＤモジュール部材
２０８      電源回路部
２１１      インバータ・インターフェイス回路部
２２１      上向き凹部
２２２      下向き凹部
２３１      フロントカバー足部
２３２      リアカバー足部
２４０      蓋
２４１      額縁状の枠部
２５１      バックライト
２５２      光学シート
２５３      偏光板
２５４      ガラス板
【図１】
2008090193.tif 000003
【図２】
2008090193.tif 000004
【図３】
2008090193.tif 000005